【手続補正書】
【提出日】平成25年11月18日(2013.11.18)
【手続補正１】
【補正対象書類名】特許請求の範囲
【補正対象項目名】全文
【補正方法】変更
【補正の内容】
【特許請求の範囲】
【請求項１】
下記を備える、ワイヤレス通信システムにおけるハンドオフの方法、
データ非アクティビティ期間中に、第１のネットワークにアタッチし、それとのコンテキストを作成することであって、前記第１のネットワークが第２のネットワークと比較して好適でないネットワークである、アタッチし、コンテキストを作成することと、
前記第１のネットワークとの少なくとも部分コンテキストを維持しながら、前記第１のネットワークとの作成された前記コンテキストに基づいて前記第２のネットワークに接続すること。
【請求項２】
前記第２のネットワークの非可用性に基づいて前記第２のネットワークから前記第１のネットワークに切り替えることをさらに備える、請求項１に記載の方法。
【請求項３】
切り替えることが、前記元のコンテキストを回復することを備える、請求項２に記載の方法。
【請求項４】
前記元のコンテキストを回復することが、
シグナリングチャネルを使用して、パケットデータネットワークへの接続を確立するための要求を前記第１のネットワークに送信することと、
前記第１のネットワーク上でトラフィックチャネルを確立することと
を備え、
ここにおいて前記トラフィックチャネルが確立される前に、前記パケットデータネットワークへの接続を確立するための前記要求が送信される、請求項３に記載の方法。
【請求項５】
前記シグナリングチャネル上で前記要求を前記送信することが、データオーバーシグナリングを使用して前記要求を送信することを備え、ここにおいて前記シグナリングチャネルがアクセスチャネルを備える、請求項４に記載の方法。
【請求項６】
パケットデータネットワークへの接続を確立するための前記要求が単一構成オプションメッセージをさらに備え、前記単一構成オプションメッセージが、少なくともアクセスポイント名とアクセスポイント名の長さとを備える、請求項４に記載の方法。
【請求項７】
前記単一構成オプションメッセージが、構成オプションタイプ、パケットデータネットワーク識別子、ユーザコンテキスト識別子、緊急インジケータ、およびベアラ制御モードのうちの少なくとも１つをさらに備える、請求項６に記載の方法。
【請求項８】
パケットデータネットワークへの接続を確立するための前記要求が、ベンダー固有のネットワーク制御プロトコル高速ハンドオフ要求メッセージをさらに備える、請求項４に記載の方法。
【請求項９】
前記方法が、
前記部分コンテキストが確立されるときに、少なくとも１つのアクセスポイント名への少なくとも１つのパケットデータネットワーク識別子のマッピングを送信することをさらに備える、請求項４に記載の方法。
【請求項１０】
前記コンテキストを作成することが、パケットデータネットワーク識別子を含むパケットデータネットワークへの接続を確立するための要求を送信することを備え、ここにおいて前記ターゲットネットワークが、前記パケットデータネットワーク識別子に関連するアクセスポイント名を判断するために前記マッピングを使用するように構成された、請求項９に記載の方法。
【請求項１１】
前記第２のネットワークが、ロングタームエボリューション無線アクセス技術を使用するように構成されたネットワークを備え、ここにおいて前記第１のネットワークが、発展型高速パケットデータ無線アクセス技術を使用するように構成されたネットワークを備える、請求項１に記載の方法。
【請求項１２】
通信ネットワークにおいて作用するワイヤレス通信装置であって、前記装置は下記を備える、
データ非アクティビティ期間中に、第１のネットワークにアタッチし、それとのコンテキストを作成することであって、前記第１のネットワークが第２のネットワークと比較して好適でないネットワークである、アタッチし、コンテキストを作成することと、
前記第１のネットワークとの少なくとも部分コンテキストを維持しながら、前記第１のネットワークとの作成された前記コンテキストに基づいて前記第２のネットワークに接続することと
を行うように構成されたプロセッサ。
【請求項１３】
前記プロセッサが、前記第２のネットワークの非可用性に基づいて前記第２のネットワークから前記第１のネットワークに切り替えるようにさらに構成された、請求項１２に記載のワイヤレス通信装置。
【請求項１４】
切り替えることが、前記元のコンテキストを回復することを備える、請求項１３に記載のワイヤレス通信装置。
【請求項１５】
前記元のコンテキストを回復することが、
シグナリングチャネルを使用して、パケットデータネットワークへの接続を確立するための要求を前記第１のネットワークに送信することと、
前記第１のネットワーク上でトラフィックチャネルを確立することと
を備え、
ここにおいて前記トラフィックチャネルが確立される前に、前記パケットデータネットワークへの接続を確立するための前記要求が送信される、請求項１４に記載のワイヤレス通信装置。
【請求項１６】
前記プロセッサが、データオーバーシグナリングを使用して、前記パケットデータネットワークへの接続を確立するための前記要求を送信するように構成され、ここにおいて前記シグナリングチャネルがアクセスチャネルを備える、請求項１５に記載のワイヤレス通信装置。
【請求項１７】
パケットデータネットワークへの接続を確立するための前記要求が単一構成オプションメッセージをさらに備え、ここにおいて前記単一構成オプションメッセージが、少なくともアクセスポイント名とアクセスポイント名の長さとを備える、請求項１５に記載のワイヤレス通信装置。
【請求項１８】
前記単一構成オプションメッセージが、構成オプションタイプ、パケットデータネットワーク識別子、ユーザコンテキスト識別子、緊急インジケータ、およびベアラ制御モードのうちの少なくとも１つをさらに備える、請求項１７に記載のワイヤレス通信装置。
【請求項１９】
パケットデータネットワークへの接続を確立するための前記要求が、ベンダー固有のネットワーク制御プロトコル高速ハンドオフ要求メッセージをさらに備える、請求項１５に記載のワイヤレス通信装置。
【請求項２０】
前記プロセッサが、
前記部分コンテキストが確立されるときに、少なくとも１つのアクセスポイント名への少なくとも１つのパケットデータネットワーク識別子のマッピングを送信するようにさらに構成された、請求項１５に記載のワイヤレス通信装置。
【請求項２１】
パケットデータネットワークへの接続を確立するための前記要求が、パケットデータネットワーク識別子を備え、ここにおいて前記第１のネットワークが、前記パケットデータネットワーク識別子に関連するアクセスポイント名を判断するために前記マッピングを使用するように構成された、請求項２０に記載のワイヤレス通信装置。
【請求項２２】
前記第２のネットワークが、ロングタームエボリューション無線アクセス技術を使用するように構成されたネットワークを備え、ここにおいて前記第１のネットワークが、発展型高速パケットデータ無線アクセス技術を使用するように構成されたネットワークを備える、請求項１２に記載のワイヤレス通信装置。
【請求項２３】
通信ネットワークにおいて作用するワイヤレス通信装置であって、前記装置は下記を備える、
データ非アクティビティ期間中に、第１のネットワークにアタッチし、それとのコンテキストを作成するための手段であって、前記第１のネットワークが前記第２のネットワークと比較して好適でないネットワークである、アタッチし、コンテキストを作成するための手段と、
前記第１のネットワークとの少なくとも部分コンテキストを維持しながら、前記第１のネットワークとの作成された前記コンテキストに基づいて前記第２のネットワークに接続するための手段。
【請求項２４】
前記第２のネットワークの非可用性に基づいて前記第２のネットワークから前記第１のネットワークに切り替えるための手段をさらに備える、請求項２３に記載のワイヤレス通信装置。
【請求項２５】
前記切り替えるための手段が、前記元のコンテキストを回復するための手段に結合される、請求項２４に記載のワイヤレス通信装置。
【請求項２６】
前記復元するための手段が、
シグナリングチャネルを使用して、パケットデータネットワークへの接続を確立するための要求を前記第１のネットワークに送信するための手段と、
前記第１のネットワーク上でトラフィックチャネルの前記確立を開始するための手段とを備え、
ここにおいて前記トラフィックチャネルが確立される前に、前記パケットデータネットワークへの接続を確立するための前記要求が送信される、請求項２５に記載のワイヤレス通信装置。
【請求項２７】
パケットデータネットワークへの接続を確立するための要求を送信するための前記手段が、データオーバーシグナリングを使用して前記要求を送信するための手段をさらに備え、ここにおいて前記シグナリングチャネルがアクセスチャネルを備える、請求項２６に記載のワイヤレス通信装置。
【請求項２８】
パケットデータネットワークへの接続を確立するための前記要求が単一構成オプションメッセージをさらに備え、ここにおいて前記単一構成オプションメッセージが、少なくともアクセスポイント名とアクセスポイント名の長さとを備える、請求項２６に記載のワイヤレス通信装置。
【請求項２９】
前記単一構成オプションメッセージが、構成オプションタイプ、パケットデータネットワーク識別子、ユーザコンテキスト識別子、緊急インジケータ、およびベアラ制御モードのうちの少なくとも１つをさらに備える、請求項２８に記載のワイヤレス通信装置。
【請求項３０】
パケットデータネットワークへの接続を確立するための前記要求が、ベンダー固有のネットワーク制御プロトコル高速ハンドオフ要求メッセージをさらに備える、請求項２６に記載のワイヤレス通信装置。
【請求項３１】
前記装置が、
前記部分コンテキストが確立されるときに、少なくとも１つのアクセスポイント名への少なくとも１つのパケットデータネットワーク識別子のマッピングを送信するための手段をさらに備える、請求項２６に記載のワイヤレス通信装置。
【請求項３２】
パケットデータネットワークへの接続を確立するための前記要求が、パケットデータネットワーク識別子を備え、ここにおいて前記ターゲットネットワークが、前記パケットデータネットワーク識別子に関連するアクセスポイント名を判断するために前記マッピングを使用するように構成された、請求項３１に記載のワイヤレス通信装置。
【請求項３３】
前記第２のネットワークが、ロングタームエボリューション無線アクセス技術を使用するように構成されたネットワークを備え、ここにおいて前記第１のネットワークが、発展型高速パケットデータ無線アクセス技術を使用するように構成されたネットワークを備える、請求項２３に記載のワイヤレス通信装置。
【請求項３４】
データ非アクティビティ期間中に、第１のネットワークにアタッチし、それとのコンテキストを作成することであって、前記第１のネットワークが第２のネットワークと比較して好適でないネットワークである、アタッチし、コンテキストを作成することをコンピュータに行わせるためのコードと、
前記第１のネットワークとの少なくとも部分コンテキストを維持しながら、前記第１のネットワークとの作成された前記コンテキストに基づいて前記第２のネットワークに接続することをコンピュータに行わせるためのコードと
を備えるコンピュータ可読媒体
を備える、コンピュータプログラム製品。
【請求項３５】
コンピュータに前記第２のネットワークの非可用性に基づいて前記第２のネットワークから前記第１のネットワークに切り替えさせるためのコードをさらに備える、請求項３４に記載のコンピュータプログラム製品。
【請求項３６】
切り替えることが、前記元のコンテキストを回復することを備える、請求項３５に記載のコンピュータプログラム製品。
【請求項３７】
前記コンピュータ可読媒体が、
コンピュータに、シグナリングチャネルを使用して、パケットデータネットワークへの接続を確立するための要求を前記第１のネットワークに送信させるためのコードと、
コンピュータに前記第１のネットワーク上でトラフィックチャネルの前記確立を開始させるためのコードと
をさらに備え、
前記トラフィックチャネルが確立される前に、前記パケットデータネットワークへの接続を確立するための前記要求が送信される、請求項３６に記載のコンピュータプログラム製品。
【請求項３８】
コンピュータにシグナリングチャネル上で前記要求を送信させるための前記コードが、データオーバーシグナリングを使用して前記要求を送信するためのコードをさらに備え、ここにおいて前記シグナリングチャネルがアクセスチャネルを備える、請求項３７に記載のコンピュータプログラム製品。
【請求項３９】
パケットデータネットワークへの接続を確立するための前記要求が単一構成オプションメッセージをさらに備え、ここにおいて前記単一構成オプションメッセージが、少なくともアクセスポイント名とアクセスポイント名の長さとを備える、請求項３７に記載のコンピュータプログラム製品。
【請求項４０】
前記単一構成オプションメッセージが、構成オプションタイプ、パケットデータネットワーク識別子、ユーザコンテキスト識別子、緊急インジケータ、およびベアラ制御モードのうちの少なくとも１つをさらに備える、請求項３９に記載のコンピュータプログラム製品。
【請求項４１】
パケットデータネットワークへの接続を確立するための前記要求が、ベンダー固有のネットワーク制御プロトコル高速ハンドオフ要求メッセージをさらに備える、請求項３７に記載のコンピュータプログラム製品。
【請求項４２】
前記コンピュータ可読媒体が、
前記部分コンテキストが確立されるときに、少なくとも１つのアクセスポイント名への少なくとも１つのパケットデータネットワーク識別子のマッピングを送信するためのコードをさらに備える、請求項３７に記載のコンピュータプログラム製品。
【請求項４３】
パケットデータネットワークへの接続を確立するための前記要求が、パケットデータネットワーク識別子を備え、ここにおいて前記ターゲットネットワークが、前記パケットデータネットワーク識別子に関連するアクセスポイント名を判断するために前記マッピングを使用するように構成された、請求項４２に記載のコンピュータプログラム製品。
【請求項４４】
前記第２のネットワークが、ロングタームエボリューション無線アクセス技術を使用するように構成されたネットワークを備え、ここにおいて前記第１のネットワークが、発展型高速パケットデータ無線アクセス技術を使用するように構成されたネットワークを備える、請求項３４に記載のコンピュータプログラム製品。
【手続補正２】
【補正対象書類名】明細書
【補正対象項目名】０１００
【補正方法】変更
【補正の内容】
【０１００】
同様に、動作は特定の順序で図面に示されているが、これは、望ましい結果を達成するために、そのような動作が、示される特定の順序でまたは順番に実行されることを、あるいはすべての図示の動作が実行されることを必要とするものとして理解されるべきでない。いくつかの状況では、マルチタスキングおよび並列処理が有利であり得る。その上、上記で説明した実装における様々なシステムコンポーネントの分離は、すべての実装においてそのような分離を必要とするものとして理解されるべきでなく、説明するプログラムコンポーネントおよびシステムは、概して、単一のソフトウェア製品において互いに一体化されるか、または複数のソフトウェア製品にパッケージングされ得ることを理解されたい。さらに、他の実装が以下のクレームの範囲内にある。場合によっては、クレームに記載のアクションは、異なる順序で実行され得、依然として望ましい結果を達成することができる。
以下に、本願出願の当初の特許請求の範囲に記載された発明を付記する。
［１］下記を備える、ワイヤレス通信システムにおけるハンドオフの方法、
データ非アクティビティ期間中に、第１のネットワークにアタッチし、それとのコンテキストを作成することであって、前記第１のネットワークが第２のネットワークと比較して好適でないネットワークである、アタッチし、コンテキストを作成することと、
前記第１のネットワークとの少なくとも部分コンテキストを維持しながら、前記第１のネットワークとの作成された前記コンテキストに基づいて前記第２のネットワークに接続すること。
［２］前記第２のネットワークの非可用性に基づいて前記第２のネットワークから前記第１のネットワークに切り替えることをさらに備える、［１］に記載の方法。
［３］切り替えることが、前記元のコンテキストを回復することを備える、［２］に記載の方法。
［４］前記フルコンテキストを回復することが、
シグナリングチャネルを使用して、パケットデータネットワークへの接続を確立するための要求を前記第１のネットワークに送信することと、
前記第１のネットワーク上でトラフィックチャネルを確立することと
を備え、
ここにおいて前記トラフィックチャネルが確立される前に、前記パケットデータネットワークへの接続を確立するための前記要求が送信される、［３］に記載の方法。
［５］前記シグナリングチャネル上で前記要求を前記送信することが、データオーバーシグナリングを使用して前記要求を送信することを備え、ここにおいて前記シグナリングチャネルがアクセスチャネルを備える、［４］に記載の方法。
［６］パケットデータネットワークへの接続を確立するための前記要求が単一構成オプションメッセージをさらに備え、前記単一構成オプションメッセージが、少なくともアクセスポイント名とアクセスポイント名の長さとを備える、［４］に記載の方法。
［７］前記単一構成オプションメッセージが、構成オプションタイプ、パケットデータネットワーク識別子、ユーザコンテキスト識別子、緊急インジケータ、およびベアラ制御モードのうちの少なくとも１つをさらに備える、［６］に記載の方法。
［８］パケットデータネットワークへの接続を確立するための前記要求が、ベンダー固有のネットワーク制御プロトコル高速ハンドオフ要求メッセージをさらに備える、［４］に記載の方法。
［９］前記方法が、
前記部分コンテキストが確立されるときに、少なくとも１つのアクセスポイント名への少なくとも１つのパケットデータネットワーク識別子のマッピングを送信することをさらに備える、［４］に記載の方法。
［１０］前記コンテキストを作成することが、パケットデータネットワーク識別子を含むパケットデータネットワークへの接続を確立するための要求を送信することを備え、ここにおいて前記ターゲットネットワークが、前記パケットデータネットワーク識別子に関連するアクセスポイント名を判断するために前記マッピングを使用するように構成された、［９］に記載の方法。
［１１］前記第２のネットワークが、ロングタームエボリューション無線アクセス技術を使用するように構成されたネットワークを備え、ここにおいて前記第１のネットワークが、発展型高速パケットデータ無線アクセス技術を使用するように構成されたネットワークを備える、［１］に記載の方法。
［１２］通信ネットワークにおいて作用するワイヤレス通信装置であって、前記装置は下記を備える、
データ非アクティビティ期間中に、第１のネットワークにアタッチし、それとのコンテキストを作成することであって、前記第１のネットワークが第２のネットワークと比較して好適でないネットワークである、アタッチし、コンテキストを作成することと、
前記第１のネットワークとの少なくとも部分コンテキストを維持しながら、前記第１のネットワークとの作成された前記コンテキストに基づいて前記第２のネットワークに接続することと
を行うように構成されたプロセッサ。
［１３］前記プロセッサが、前記第２のネットワークの非可用性に基づいて前記第２のネットワークから前記第１のネットワークに切り替えるようにさらに構成された、［１２］に記載のワイヤレス通信装置。
［１４］切り替えることが、前記元のコンテキストを回復することを備える、［１３］に記載のワイヤレス通信装置。
［１５］前記元のコンテキストを回復することが、
シグナリングチャネルを使用して、パケットデータネットワークへの接続を確立するための要求を前記第１のネットワークに送信することと、
前記第１のネットワーク上でトラフィックチャネルを確立することと
を備え、
ここにおいて前記トラフィックチャネルが確立される前に、前記パケットデータネットワークへの接続を確立するための前記要求が送信される、［１４］に記載のワイヤレス通信装置。
［１６］前記プロセッサが、データオーバーシグナリングを使用して、前記パケットデータネットワークへの接続を確立するための前記要求を送信するように構成され、ここにおいて前記シグナリングチャネルがアクセスチャネルを備える、［１５］に記載のワイヤレス通信装置。
［１７］パケットデータネットワークへの接続を確立するための前記要求が単一構成オプションメッセージをさらに備え、ここにおいて前記単一構成オプションメッセージが、少なくともアクセスポイント名とアクセスポイント名の長さとを備える、［１５］に記載のワイヤレス通信装置。
［１８］前記単一構成オプションメッセージが、構成オプションタイプ、パケットデータネットワーク識別子、ユーザコンテキスト識別子、緊急インジケータ、およびベアラ制御モードのうちの少なくとも１つをさらに備える、［１７］に記載のワイヤレス通信装置。
［１９］パケットデータネットワークへの接続を確立するための前記要求が、ベンダー固有のネットワーク制御プロトコル高速ハンドオフ要求メッセージをさらに備える、［１５］に記載のワイヤレス通信装置。
［２０］前記プロセッサが、
前記部分コンテキストが確立されるときに、少なくとも１つのアクセスポイント名への少なくとも１つのパケットデータネットワーク識別子のマッピングを送信するようにさらに構成された、［１５］に記載のワイヤレス通信装置。
［２１］パケットデータネットワークへの接続を確立するための前記要求が、パケットデータネットワーク識別子を備え、ここにおいて前記第１のネットワークが、前記パケットデータネットワーク識別子に関連するアクセスポイント名を判断するために前記マッピングを使用するように構成された、［２０］に記載のワイヤレス通信装置。
［２２］前記第２のネットワークが、ロングタームエボリューション無線アクセス技術を使用するように構成されたネットワークを備え、ここにおいて前記第１のネットワークが、発展型高速パケットデータ無線アクセス技術を使用するように構成されたネットワークを備える、［１２］に記載のワイヤレス通信装置。
［２３］通信ネットワークにおいて作用するワイヤレス通信装置であって、前記装置は下記を備える、
データ非アクティビティ期間中に、第１のネットワークにアタッチし、それとのコンテキストを作成するための手段であって、前記第１のネットワークが前記第２のネットワークと比較して好適でないネットワークである、アタッチし、コンテキストを作成するための手段と、
前記第１のネットワークとの少なくとも部分コンテキストを維持しながら、前記第１のネットワークとの作成された前記コンテキストに基づいて前記第２のネットワークに接続するための手段。
［２４］前記第２のネットワークの非可用性に基づいて前記第２のネットワークから前記第１のネットワークに切り替えるための手段をさらに備える、［２３］に記載のワイヤレス通信装置。
［２５］前記切り替えるための手段が、前記元のコンテキストを回復するための手段に結合される、［２４］に記載のワイヤレス通信装置。
［２６］前記復元するための手段が、
シグナリングチャネルを使用して、パケットデータネットワークへの接続を確立するための要求を前記第１のネットワークに送信するための手段と、
前記第１のネットワーク上でトラフィックチャネルの前記確立を開始するための手段と
を備え、
ここにおいて前記トラフィックチャネルが確立される前に、前記パケットデータネットワークへの接続を確立するための前記要求が送信される、［２５］に記載のワイヤレス通信装置。
［２７］パケットデータネットワークへの接続を確立するための要求を送信するための前記手段が、データオーバーシグナリングを使用して前記要求を送信するための手段をさらに備え、ここにおいて前記シグナリングチャネルがアクセスチャネルを備える、［２６］に記載のワイヤレス通信装置。
［２８］パケットデータネットワークへの接続を確立するための前記要求が単一構成オプションメッセージをさらに備え、ここにおいて前記単一構成オプションメッセージが、少なくともアクセスポイント名とアクセスポイント名の長さとを備える、［２６］に記載のワイヤレス通信装置。
［２９］前記単一構成オプションメッセージが、構成オプションタイプ、パケットデータネットワーク識別子、ユーザコンテキスト識別子、緊急インジケータ、およびベアラ制御モードのうちの少なくとも１つをさらに備える、［２８］に記載のワイヤレス通信装置。
［３０］パケットデータネットワークへの接続を確立するための前記要求が、ベンダー固有のネットワーク制御プロトコル高速ハンドオフ要求メッセージをさらに備える、［２６］に記載のワイヤレス通信装置。
［３１］前記装置が、
前記部分コンテキストが確立されるときに、少なくとも１つのアクセスポイント名への少なくとも１つのパケットデータネットワーク識別子のマッピングを送信するための手段をさらに備える、［２６］に記載のワイヤレス通信装置。
［３２］パケットデータネットワークへの接続を確立するための前記要求が、パケットデータネットワーク識別子を備え、ここにおいて前記ターゲットネットワークが、前記パケットデータネットワーク識別子に関連するアクセスポイント名を判断するために前記マッピングを使用するように構成された、［３１］に記載のワイヤレス通信装置。
［３３］前記第２のネットワークが、ロングタームエボリューション無線アクセス技術を使用するように構成されたネットワークを備え、ここにおいて前記第１のネットワークが、発展型高速パケットデータ無線アクセス技術を使用するように構成されたネットワークを備える、［２３］に記載のワイヤレス通信装置。
［３４］データ非アクティビティ期間中に、第１のネットワークにアタッチし、それとのコンテキストを作成することであって、前記第１のネットワークが第２のネットワークと比較して好適でないネットワークである、アタッチし、コンテキストを作成することをコンピュータに行わせるためのコードと、
前記第１のネットワークとの少なくとも部分コンテキストを維持しながら、前記第１のネットワークとの作成された前記コンテキストに基づいて前記第２のネットワークに接続することをコンピュータに行わせるためのコードと
を備えるコンピュータ可読媒体
を備える、コンピュータプログラム製品。
［３５］コンピュータに前記第２のネットワークの非可用性に基づいて前記第２のネットワークから前記第１のネットワークに切り替えさせるためのコードをさらに備える、［３４］に記載のコンピュータプログラム製品。
［３６］切り替えることが、前記元のコンテキストを回復することを備える、［３５］に記載のコンピュータプログラム製品。
［３７］前記コンピュータ可読媒体が、
コンピュータに、シグナリングチャネルを使用して、パケットデータネットワークへの接続を確立するための要求を前記第１のネットワークに送信させるためのコードと、
コンピュータに前記第１のネットワーク上でトラフィックチャネルの前記確立を開始させるためのコードと
をさらに備え、
前記トラフィックチャネルが確立される前に、前記パケットデータネットワークへの接続を確立するための前記要求が送信される、［３６］に記載のコンピュータプログラム製品。
［３８］コンピュータにシグナリングチャネル上で前記要求を送信させるための前記コードが、データオーバーシグナリングを使用して前記要求を送信するためのコードをさらに備え、ここにおいて前記シグナリングチャネルがアクセスチャネルを備える、［３７］に記載のコンピュータプログラム製品。
［３９］パケットデータネットワークへの接続を確立するための前記要求が単一構成オプションメッセージをさらに備え、ここにおいて前記単一構成オプションメッセージが、少なくともアクセスポイント名とアクセスポイント名の長さとを備える、［３７］に記載のコンピュータプログラム製品。
［４０］前記単一構成オプションメッセージが、構成オプションタイプ、パケットデータネットワーク識別子、ユーザコンテキスト識別子、緊急インジケータ、およびベアラ制御モードのうちの少なくとも１つをさらに備える、［３９］に記載のコンピュータプログラム製品。
［４１］パケットデータネットワークへの接続を確立するための前記要求が、ベンダー固有のネットワーク制御プロトコル高速ハンドオフ要求メッセージをさらに備える、［３７］に記載のコンピュータプログラム製品。
［４２］前記コンピュータ可読媒体が、
前記部分コンテキストが確立されるときに、少なくとも１つのアクセスポイント名への少なくとも１つのパケットデータネットワーク識別子のマッピングを送信するためのコードをさらに備える、［３７］に記載のコンピュータプログラム製品。
［４３］パケットデータネットワークへの接続を確立するための前記要求が、パケットデータネットワーク識別子を備え、ここにおいて前記ターゲットネットワークが、前記パケットデータネットワーク識別子に関連するアクセスポイント名を判断するために前記マッピングを使用するように構成された、［４２］に記載のコンピュータプログラム製品。
［４４］前記第２のネットワークが、ロングタームエボリューション無線アクセス技術を使用するように構成されたネットワークを備え、ここにおいて前記第１のネットワークが、発展型高速パケットデータ無線アクセス技術を使用するように構成されたネットワークを備える、［３４］に記載のコンピュータプログラム製品。
【手続補正３】
【補正対象書類名】明細書
【補正対象項目名】００２８
【補正方法】変更
【補正の内容】
【００２８】
ＲＡＮ、詳細には、ｅＮＢ２０８ａおよびＨＲＰＤ  ＢＴＳ２０８ｂは、課金（たとえば、サービスのための使用料など）、セキュリティ（たとえば、暗号化および完全性(integrity)保護）、加入者管理、モビリティ管理、ベアラ(bearer)管理、ＱｏＳ処理、データフローのポリシー制御、および／または外部ネットワーク２２０との相互接続を可能にするコアネットワークと通信することができる。ＲＡＮおよびコアネットワークは、たとえば、Ｓ１インターフェースを介して通信することができる。コアネットワークは、ＲＡＮ２１０からの制御シグナリングのためのエンドポイントであり得るモビリティ管理エンティティ（ＭＭＥ）２１６を含むことができる。ＭＭＥ２１６は、モビリティ管理（たとえば、追跡(tracking)）、認証、およびセキュリティなどの機能を提供することができる。ＭＭＥ２１６は、Ｓ１インターフェースを介してＲＡＮと通信することができる。コアネットワークはまた、ＬＴＥ  ＲＡＮにコアネットワークを接続するユーザプレーンノード(user plane node)であるサービングゲートウェイ（Ｓ−ＧＷ）２１０を含むことができる。コアネットワークはまた、ｅＨＲＰＤ  ＲＡＮにコアネットワークを接続するＨＲＰＤサービングゲートウェイ（ＨＳＧＷ）２１４を含み得る。ｅＨＲＤＰ  ＲＡＮはまた、ＨＲＰＤ  ＢＴＳ２０８ｂとＨＳＧＷ２１４との間のパケットのリレー(relay)を管理する、発展型アクセスノード（ｅＡＮ）および発展型パケット制御機能（ｅＰＣＦ）エンティティ２１２を含む。一態様では、ＭＭＥ２１６は、Ｓ１１インターフェースを介してＳ−ＧＷ２１０またはｅＡＮ／ｅＰＣＦ２１２と通信することができる。さらに、Ｓ−ＧＷ２１０およびＨＳＧＷ２１４は、ｅＨＲＰＤネットワークとＥＰＣとの間のインターオペラビリティ(interoperability)を促進する(facilitate)ために通信し得る。別の態様では、ＭＭＥ２１６およびＳ−ＧＷ２１０は、単一のノードとして、ユーザのための単一のエンドポイントを提供するように、およびＲＡＮから始まりおよび／またはＲＡＮにおいて終了するシグナリングを制御するように、構成され得る。ネットワークはまた、ポリシーおよび課金ルール機能（ＰＣＲＦ）２３０を含み得る。ＰＣＲＦ２３０は、Ｓ−ＧＷ２１０、ＨＳＧＷ２１４、ＰＤＮ  ＧＷ２１８およびコアネットワーク２２０と通信し得る。
【手続補正４】
【補正対象書類名】明細書
【補正対象項目名】００３４
【補正方法】変更
【補正の内容】
【００３４】
いくつかの実装では、ネットワークプリファレンスは、少なくとも部分的に、プリファレンスによって編成された(organized)いくつかのネットワークを含み得る。第１の好適なネットワークが利用可能でない場合、プロセッサ３０４はデバイス３０２に第２のネットワークをシーク(seek)させ得る。第２のネットワークが利用不可能である場合、プロセッサはデバイス３０２にネットワークのリストを介して続けさせ得る。いくつかの実装では、プロセッサ３０４は、前に利用不可能であったが好ましいネットワークと接続することを再試行するための命令を含み得る。
【手続補正５】
【補正対象書類名】明細書
【補正対象項目名】００５４
【補正方法】変更
【補正の内容】
【００５４】
図４は、ハンドオフが行われる前に図２の様々なエンティティの間で交換される信号フローを説明する例示的な信号フロー図を示す。詳細には、図４は、ｅＨＲＰＤ  ＲＡＮとの部分コンテキストを確立するために、ハンドオフが行われる前に交換され得る信号を説明するフロー図の例を示す。一態様では、これは事前登録段階として説明され得る。この段階では、ＵＥは、ＬＣＰ、Ａ１０および認証コンテキストの確立を含み得る、ｅＨＲＰＤ  ＲＡＮへの部分アタッチを実行し得る。図４および以下で説明する図は、４０２においてＵＥ２０６が、ｅＨＲＰＤを通して部分コンテキストを確立すると判断したときに、図２に示した様々なエンティティ間で流れ得る信号の例を示す。部分コンテキストを確立するために、ＵＥは、４０４においてｅＨＲＰＤセッション確立を実行し、４０６においてｅＡＮ／ｅＰＣＦ２１２との（たとえば、Ａ１２認証を使用する）デバイス認証を実行する。これは、４０８においてＨＳＧＷ２１４とのＡ１０接続セットアップおよびポイントツーポイントプロトコル（ＰＰＰ）ＬＣＰ確立を伴う。４１０ａ、４１０ｂおよび４１０ｃにおいて、ＥＡＰ−ＡＫＡ認証コンテキストも確立される。認証の後、４１２において、ＨＳＧＷ２１４が、加入者プロファイル、デフォルトアクセスポイント名（ＡＰＮ）、ネットワークアクセス識別子（ＮＡＩ）、および部分コンテキストのための他の必要な情報をキャッシュし得る。次いで、４１４において、ＨＳＧＷは部分コンテキストを維持し得る。部分コンテキストが確立された後、４１６において、ＵＥはＥ−ＵＴＲＡネットワークに同調し得る。
【手続補正６】
【補正対象書類名】明細書
【補正対象項目名】００５８
【補正方法】変更
【補正の内容】
【００５８】
図６は、ハンドオフが行われるときに図２の様々なエンティティの間で交換される信号フローを説明する別の例示的な信号フロー図を示す。詳細には、図６は、ＶＳＮＣＰコンテキスト確立動作によって生じる中断ギャップを低減するためにハンドオフ段階中に交換され得る信号を説明するフロー図の例を示す。図６に示すように、６０４において、ＵＥ２０６がｅＨＲＰＤへのハンドオフが必要であると判断したとき、６０２において、ＵＥがＥ−ＵＴＲＡネットワーク上で動作していることがある。ターゲットｅＨＲＰＤネットワークとの部分コンテキストがあらかじめ確立されていることがある。６０６において、パイロット取得およびオーバーヘッド更新が実行され得る。図５とは対照的に、トラフィックチャネルが確立される前に、６０８において、ＤｏＳを使用してシグナリングチャネル上でｅＡＮ／ｅＰＣＦ２１２にＶＳＮＣＰ構成要求メッセージとともに接続要求が送信され得る。たとえば、アクセスチャネルが使用され得る。この場合、ＶＳＮＣＰデータパケットによって使用されるオクテットの数は、最小値に低減される必要があり得る。次いで、６１０において、ｅＡＮ／ｅＰＣＦ２１２が、ＨＳＧＷ２１４にＶＳＮＣＰ構成要求メッセージを送信し得る。この時点で、６１２において、ＨＳＧＷ２１４は、ＰＣＲＦ２３０を用いてゲートウェイ制御セッションセットアップを実行することが可能である。次いで、６１４において、プロキシモバイルＩＰ（ＰＭＩＰ）バインディング更新メッセージが送信され得、６１６において、Ｐ−ＧＷ２１８が、たとえば、ＱｏＳポリシーパラメータを取り出すために、ＰＣＲＦインタラクションを実行し得る。次いで、６１８において、応答してＨＳＧＷ２１４にＰＭＩＰバインディング確認メッセージが送信され得る。シグナリングチャネルを使用してＶＳＮＣＰ構成要求メッセージを送ることは、トラフィックチャネルが確立される前または間にＶＳＮＣＰコンテキスト確立プロシージャが開始することを可能にし得る。このようにして、（ＰＭＩＰバインディングとともに）トラフィックチャネル確立とＶＳＮＣＰセットアッププロシージャとが並行して実行され得る。トラフィックチャネル確立はＶＳＮＣＰセットアップおよびＰＭＩＰバインディングよりも多くの時間を要し得るので、動作を並行して行うことは、ＶＳＮＣＰセットアップおよびＰＭＩＰバインディングに必要とされる時間を本質的に見えなくし得る。したがって、ＶＳＮＣＰセットアップおよびＰＭＩＰバインディングのために必要とされる時間は、中断ギャップにさらに寄与し得ない。したがって、ＶＳＮＣＰコンテキスト確立がトラフィックチャネルセットアップの完了に依存する必要がなくなり得るので、シグナリングチャネル上でＶＳＮＣＰ構成要求メッセージを送ることは、ハンドオフプロセス中の著しい時間節約をもたらし得る。
【手続補正７】
【補正対象書類名】明細書
【補正対象項目名】００６４
【補正方法】変更
【補正の内容】
【００６４】
図７Ｂは、表１中の上述の構成オプションの代わりに、様々な実装に従って使用され得る単一の構成オプションの例を示す。新しい構成オプション７０３は、高速ハンドオフアタッチ構成オプションとして説明され得る。新しい構成オプションデータは、ＨＳＧＷ２１４がＰＤＮゲートウェイとの接続を確立するために必要とされる構成オプションのフルセットを取得または導出することを可能にするために十分な情報を、ｅＨＲＰＤネットワーク中のＨＳＧＷ２１４に提供するために、上記の表１中に記載された構成オプションからの必要なデータをカプセル化し得る。構成オプション７０３は、使用されている構成オプションタイプを示す１オクテットのタイプフィールド７１２によって識別され得る。構成オプションタイプは、現在定義されている構成オプションタイプとの重複を回避するように１０進値１８に設定され得る。
【手続補正８】
【補正対象書類名】明細書
【補正対象項目名】００７０
【補正方法】変更
【補正の内容】
【００７０】
図８は、ハンドオフが行われる前に図２の様々なエンティティの間で交換される信号フローを説明する別の例示的な信号フロー図を示す。詳細には、図８は、今上述したような実装に従ってｅＨＲＰＤ  ＲＡＮとの部分コンテキストを確立するためにハンドオフが行われる前に交換され得る信号を説明するフロー図の例を示す。８０２において、ＵＥ２０６がｅＨＲＰＤを通して部分コンテキストを確立することを判断した後に、ＵＥは、８０４においてｅＨＲＰＤセッション確立を実行し、８０６においてｅＡＮ／ｅＰＣＦ２１２とのデバイス認証を（たとえば、Ａ１２認証を使用して）実行する。これの後に、８０８において、ＨＳＧＷ２１４とのＡ１０接続セットアップが続き得る。ＰＰＰ  ＬＣＰコンテキスト確立中に、８１０において、ＵＥは、ＡＰＮへのＰＤＮ−ＩＤのマッピングを含んでいるＬＣＰ構成要求メッセージをＨＳＧＷ２１４に送信し得る。８１２において、ＨＳＧＷ２１４がマッピングを受け付けた場合、ＬＣＰ構成確認メッセージ中で値が送信される。次いで、８１４において、ＨＳＧＷ２１４はＵＥ２０６にＬＣＰ構成要求メッセージを送信し、８１６において、ＵＥ２０６はＬＣＰ構成確認メッセージで応答する。この時点で、次いで、８１８ａ、８１８ｂおよび８１８ｃにおいて、ＥＡＰ−ＡＫＡ認証コンテキストが確立される。認証の後、８２０において、ＨＳＧＷ２１２が、加入者プロファイル、デフォルトアクセスポイント名（ＡＰＮ）、ネットワークアクセス識別子（ＮＡＩ）、および他の必要な情報をキャッシュし得る。次いで、８２２において、ＨＳＧＷは部分コンテキストを維持することができる。部分コンテキストが確立された後、８２４において、ＵＥはＥ−ＵＴＲＡネットワークに同調し得る。図８に示されていない他のＬＣＰメッセージも、ＨＳＧＷ２１４にマッピングを送信するために使用され得ることを諒解されたい。たとえば、ＬＣＰエコー要求および返答が、ベンダー固有のオプションとともに使用され得、またはベンダー固有のパケットが使用され得る。
【手続補正９】
【補正対象書類名】明細書
【補正対象項目名】００７２
【補正方法】変更
【補正の内容】
【００７２】
図９は、構成要求メッセージフォーマットを説明する例を示す。図９Ａおよび図９Ｂは、図８に示した事前登録段階など、事前登録段階での使用のために、変更されたＶＮＳＣＰパケットデータフォーマットの例を示す。図９Ａは、表１に記載され、および図７Ｂに同様に示された構成オプションの代わりに使用される単一の構成オプション９０１を示す。図９Ａでは、ＡＰＮ長さフィールドおよびＡＰＮフィールドは省略される。その結果、示されている実装では、必要とされるバイトの総数は、ＶＳＣＮＰメッセージフォーマットヘッダに必要とされる７バイト、および新しい構成オプション９０１を指定するタイプフィールド９０２と図７Ｂを参照しながら説明した他のフィールドとのための２バイトを含む９バイトであり得る。図９Ｂは図７Ｃに対応し、タイプフィールド９０２とＯＵＩフィールド７０８との除去を可能にする、さらに提供されたＶＳＮＣＰ高速ハンドオフ要求メッセージを識別するための第８のコードを定義する。図９Ｂでは、ＡＰＮフィールドおよびＡＰＮ長さフィールドはまた、図８に示した事前登録段階に関連して省略され得る。その結果、図９Ｂに示すように、必要とされるＶＳＮＣＰメッセージフォーマットは合計３バイトであり得る。
【手続補正１０】
【補正対象書類名】図面
【補正対象項目名】図７Ａ
【補正方法】変更
【補正の内容】
【図７Ａ】
2013543360.tif 000001